(57)【要約】【課題】ＥＭＩの発生を抑制してＥＭＩ発生による表示装置の品質の低下および誤作動を抑制する。【解決手段】画像を表示する表示パネルと、前記表示パネルを収納する収納部材と、前記収納部材の背面上に設けられた一つ以上の印刷回路基板と、前記収納部材の背面と前記印刷回路基板の間に配置された電磁波遮断部材とを含み、前記電磁波遮断部材は電磁波を遮断させるための複数の突起を含む。【選択図】図２
2008146012.tif 000002
【特許請求の範囲】
【請求項１】
画像を表示する表示パネルと、
前記表示パネルを収納する収納部材と、
前記収納部材の背面に設けられた一つ以上の印刷回路基板と、
前記収納部材の背面と前記印刷回路基板との間に配置された電磁波遮断部材とを含み、
前記電磁波遮断部材は電磁波を遮断させるための複数の突起を含むことを特徴とする表示装置。
【請求項２】
前記印刷回路基板は、前記表示パネルに駆動信号を供給する駆動印刷回路基板を含むことを特徴とする請求項１に記載の表示装置。
【請求項３】
前記印刷回路基板は、前記駆動印刷回路基板と接続された制御回路基板を含むことを特徴とする請求項２に記載の表示装置。
【請求項４】
前記収納部材に収納され、前記表示パネルに光を供給する光源ユニットをさらに含み、
前記印刷回路基板は、前記光源ユニットを駆動するインバータ回路基板をさらに含むことを特徴とする請求項１に記載の表示装置。
【請求項５】
前記収納部材と結合して前記印刷回路基板をカバーする基板カバーをさらに含み、
前記基板カバーで前記印刷回路基板と対向する面に配置された電磁波遮断部材をさらに含むことを特徴とする請求項１に記載の表示装置。
【請求項６】
前記複数の突起は、多角錐形状を含むことを特徴とする請求項１に記載の表示装置。
【請求項７】
前記複数の突起は、プリズム（ｐｒｉｓｍ）形状を含むことを特徴とする請求項１に記載の表示装置。
【請求項８】
前記複数の突起は、半球形状を含むことを特徴とする請求項１に記載の表示装置。
【請求項９】
前記複数の突起は、縦断面が多角形形状を含むことを特徴とする請求項１に記載の表示装置。
【請求項１０】
前記縦断面の形状は凹多角形を含むことを特徴とする請求項９に記載の表示装置。
【請求項１１】
前記縦断面の形状は凸多角形を含むことを特徴とする請求項９に記載の表示装置。
【請求項１２】
前記複数の突起は、縦断面がアーチ（ａｒｃｈ）形状を含むことを特徴とする請求項１に記載の表示装置。
【請求項１３】
前記複数の突起は、０．１μｍ〜１０００μｍの範囲内の平均幅を有することを特徴とする請求項１に記載の表示装置。
【請求項１４】
前記電磁波遮断部材は、アロエ（ａｌｏｅ）、木材、アルミニウム（Ａｌ）、合成樹脂のうちの一つ以上の素材を含んで形成されることを特徴とする請求項１または５に記載の表示装置。
【請求項１５】
前記電磁波遮断部材は、前記収納部材と一体に形成されることを特徴とする請求項１に記載の表示装置。
【請求項１６】
前記電磁波遮断部材は、前記収納部材および前記基板カバーのうちの一つ以上のものと一体に形成されることを特徴とする請求項５に記載の表示装置。
【発明の詳細な説明】
【技術分野】
【０００１】
本発明は表示装置に係わり、より詳しくは、電磁障害（ＥＬＥＣＴＲＯ−ＭＡＧＮＥＴＩＣ  ＩＮＴＥＲＦＥＲＥＮＣＥ、ＥＭＩ）の発生を減らした表示装置に関する。
【背景技術】
【０００２】
表示装置にはいろいろな種類がある。そのうち、急速に発展している半導体技術を中心にして小型化および軽量化を進めながら性能がさらに向上した液晶表示（ｌｉｑｕｉｄ  ｃｒｙｓｔａｌ  ｄｉｓｐｌａｙａｙ、ＬＣＤ）パネルを備えた表示装置がある。
【０００３】
液晶表示パネルを備えた表示装置は小型化、軽量化および低電力消費化などの利点を有していて、既存のブラウン管（ｃａｔｈｏｄｅ  ｒａｙ  ｔｕｂｅ、ＣＲＴ）の短所を克服できる代替手段として次第に注目されてきた。現在は表示装置を必要とする携帯電話機、ＰＤＡ（ｐｅｒｓｏｎａｌ  ｄｉｇｉｔａｌ  ａｓｓｉｓｔａｎｔ）、およびＰＭＰ（ｐｏｒｔａｂｌｅ  ｍｕｌｔｉｍｅｄｉａ  ｐｌａｙｅｒ）等のような小型製品だけではなく、中大型製品のモニターおよびＴＶなどにも使用されるなど表示装置を必要とする殆ど全ての情報処理機器に使用されている。
【０００４】
液晶表示パネルは自ら発光できない受光型表示パネルなので、表示装置は液晶表示パネルの背面に光を供給する光源ユニットを含むバックライトアセンブリーを備えている。
【０００５】
また、表示装置はいろいろな用途の印刷回路基板を含む。つまり、印刷回路基板は表示パネルに駆動信号を供給する駆動印刷回路基板と、光源ユニットを駆動するインバータ回路基板などを含む。
【０００６】
しかし、このような多様な印刷回路基板は電磁障害（ＥＬＥＣＴＲＯ−ＭＡＧＮＥＴＩＣ  ＩＮＴＥＲＦＥＲＥＮＣＥ、ＥＭＩ）を発生させるという問題点がある。このように、印刷回路基板によって発生される電磁障害は表示装置の品質を低下させ、また他の不良を引き起こす原因にもなっている。
【特許文献１】特開２０００−３１５８８４号公報
【発明の開示】
【発明が解決しようとする課題】
【０００７】
したがって、本発明は前述の問題点を解決するためのものであって、電磁障害（ＥＭＩ）の発生を減らすことができる表示装置を提供する。
【課題を解決するための手段】
【０００８】
前述の目的を達成するために本発明による表示装置は、画像を表示する表示パネルと、前記表示パネルを収納する収納部材と、前記収納部材の背面に設けられた一つ以上の印刷回路基板と、前記収納部材の背面と前記印刷回路基板との間に配置された電磁波遮断部材とを含み、前記電磁波遮断部材は電磁波を遮断させるための複数の突起を含む。
【０００９】
前記印刷回路基板は、前記表示パネルに駆動信号を供給する駆動印刷回路基板を含むことができる。
【００１０】
前記印刷回路基板は、前記駆動印刷回路基板と接続された制御回路基板を含むことができる。
【００１１】
前記収納部材に収納され、前記表示パネルに光を供給する光源ユニットをさらに含み、前記印刷回路基板は、前記光源ユニットを駆動するインバータ回路基板をさらに含むことができる。
【００１２】
前記収納部材と結合して前記印刷回路基板をカバーする基板カバーをさらに含み、前記基板カバーで前記印刷回路基板と対向する面に配置された電磁波遮断部材をさらに含むことができる。
【００１３】
前記複数の突起は多角錐形状を含むことができる。
【００１４】
前記複数の突起はプリズム（ｐｒｉｓｍ）形状を含むことができる。
【００１５】
前記複数の突起は半球形状を含むことができる。
【００１６】
前記複数の突起は縦断面が多角形形状を含むことができる。
【００１７】
前記複数の突起が有する縦断面の形状は凹多角形を含むことができる。
【００１８】
前記複数の突起が有する縦断面の形状は凸多角形を含むことができる。
【００１９】
前記複数の突起は縦断面がアーチ（ａｒｃｈ）形状を含むことができる。
【００２０】
前記複数の突起は０．１μｍ〜１０００μｍの範囲内の平均幅を有することができる。
【００２１】
前記電磁波遮断部材はアロエ（ａｌｏｅ）、木材、アルミニウム（Ａｌ）、合成樹脂のうちの一つ以上の素材を含んで形成されることができる。
【００２２】
前記電磁波遮断部材は前記収納部材と一体に形成されることができる。
【００２３】
前記電磁波遮断部材は、前記収納部材および前記基板カバーのうちの一つ以上のものと一体に形成されることができる。
【発明の効果】
【００２４】
本発明によれば、表示装置は電磁障害（ＥＭＩ）の発生を減らすことができる。
【００２５】
つまり、駆動印刷回路基板、インバータ回路基板および制御回路基板を含む印刷回路基板のように電磁波を発生させる部品を、電磁波遮断部材で囲むことによって、ＥＭＩに影響を与える周波数を抑制することができる。
【００２６】
したがって、ＥＭＩの発生を抑制して、ＥＭＩ発生による表示装置の品質の低下および誤作動を抑制することができる。
【発明を実施するための最良の形態】
【００２７】
以下、添付図面を参照して本発明の実施形態について本発明の属する技術分野における通常の知識を有する者が容易に実施できるように詳しく説明する。本発明はいろいろな相異なる形態に実現されることができ、ここで説明する実施形態に限られない。
【００２８】
添付図面では、表示装置に使用された表示パネルの実施形態として液晶表示パネルを示したが、これは単に本発明を例示するためのものに過ぎず、本発明はこれに限定されるものではない。したがって、表示装置は液晶表示パネル以外の多様な表示パネルを使用することもできる。
【００２９】
また、添付図面ではエッジ（ｅｄｇｅ）方式のバックライトアセンブリー（ｂａｃｋｌｉｇｈｔ  ａｓｓｅｍｂｌｙ）が使用されたが、これは単に本発明を例示するためのものに過ぎず、本発明はこれに限定されるものではない。したがって、エッジ方式以外に直下方式など多様な方式のバックライトアセンブリーにも適用できる。
【００３０】
本発明を明確に説明するために説明上不必要な部分は省略し、明細書全体にわたって同一または類似の構成要素に対しては同一の参照符号を付ける。
【００３１】
また、いろいろな実施形態において、同一の構成を有する構成要素については同一の符号を用いて代表的に第１実施形態で説明し、その他の実施形態では第１実施形態と異なる構成についてのみ説明する。
【００３２】
図１に示したように、本発明の第１実施形態による表示装置１００は、光を供給するバックライトアセンブリー７０と、光の提供を受けて画像を表示する表示パネル５０と、電磁波遮断部材９０とを含む。その他に、表示装置１００は表示パネル５０をバックライトアセンブリー７０の上に固定支持するために固定部材６０をさらに含み、その他の必要な部分をさらに含むことができる。
【００３３】
また、表示装置１００は表示パネル５０と電気的に接続されて駆動信号を伝達する複数の駆動集積回路チップパッケージ４１、４２および駆動印刷回路基板４４を含む。ここで、駆動集積回路チップパッケージ４１、４２はチップオンフィルムパッケージ（ｃｈｉｐ  ｏｎ  ｆｉｌｍ  ｐａｃｋａｇｅ、ＣＯＦ）またはテープキャリアパッケージ（ｔａｐｅ  ｃａｒｒｉｅｒ  ｐａｃｋａｇｅ、ＴＣＰ）で形成される。
【００３４】
駆動集積回路チップパッケージはゲート駆動集積回路チップパッケージ４１とデータ駆動集積回路チップパッケージ４２を含む。ゲート駆動集積回路チップパッケージ４１は表示パネル５０の一側周縁に付着されて表示パネル５０にゲート信号を供給する。データ駆動集積回路チップパッケージ４２は前記一側と隣接した表示パネル５０の他側に付着されて表示パネル５０にデータ信号を含んだその他の信号を供給する。
【００３５】
表示パネル５０は第１表示板５１および液晶層（図示せず）を介して第１表示板５１と対向配置された第２表示板５３を含む。ここで、第１表示板５１は背面基板になり、第２表示板５３は前面基板になり、第２表示板５３は第１表示板５１よりも大きさが小さい。ここで、駆動集積回路チップパッケージ４１、４２は一側が第２表示板５３と重ならない第１表示板５１の周縁に付着されて表示パネル５０と接続される。そして、駆動集積回路チップパッケージ４１、４２のうちの一つ以上の駆動集積回路チップパッケージは他側が駆動印刷回路基板４４と接続される。
【００３６】
図１では一つの駆動集積回路チップパッケージ４２が駆動印刷回路基板４４と接続されたものを示したが、本発明は必ずしもこれに限定されるものではない。したがって、他の一つの駆動集積回路チップパッケージ４１をまた他の駆動印刷回路基板（図示せず）と接続することもできる。
【００３７】
駆動印刷回路基板４４は各種制御信号を生成し、外部から入力されるデジタル形態の信号をデータ駆動集積回路チップパッケージ４２に伝達する。データ駆動集積回路チップパッケージ４２の集積回路チップは駆動印刷回路基板４４から伝達された各種制御信号に基づいてデジタル形態の信号をアナログ形態に変換した後、表示パネル５０に供給して表示パネル５０を駆動させる。
【００３８】
そして、第２表示板５３の前面と第１表示板５１の背面にはそれぞれ偏光板（図示せず）が付着されて、バックライトアセンブリー７０から供給された可視光線を線偏光させる。
【００３９】
第１表示板５１および第２表示板５３には複数の薄膜トランジスタ（ｔｈｉｎ  ｆｉｌｍ  ｔｒａｎｓｉｓｔｏｒ、ＴＦＴ）、カラーフィルター、画素電極および共通電極などが形成される。そして、液晶層が画素電極と共通電極の間に配置される。
【００４０】
このような構成によって、スイッチング素子の薄膜トランジスタがオンにされると、画素電極と共通電極の間に電界（ｅｌｅｃｔｒｉｃ  ｆｉｅｌｄ）が形成される。このような電界によって第１表示板５１と第２表示板５３の間に配置された液晶層の液晶配列角が変化し、これによって変更される光透過度によって所望の画像を得る。
【００４１】
バックライトアセンブリー７０は光を発生する光源ユニット７６、光源カバー７８、光学シート類７２、導光板７４、反射部材７９、第１支持部材７１、第２支持部材７３および収納部材７５を含む。そして、バックライトアセンブリー７０は光源ユニット７６を駆動するインバータ回路基板７７（図２に図示）と、光源ユニット７６とインバータ回路基板７７を電気的に接続するワイヤー８５（図２に図示）をさらに含む。
【００４２】
導光板７４は一つ以上の入射面と、入射面と交差する出射面を含む。図１で導光板７４は二つの入射面を有する。導光板７４は入射面を通じて入射された光を実質的に均一に拡散させて出射面を通じて出射させる。
【００４３】
光源ユニット７６は導光板７４の入射面に光を照射する。また、光源ユニット７６は導光板７４の近くに対向配置される。光源ユニット７６には冷陰極蛍光ランプ（ｃｏｌｄ  ｃａｔｈｏｄｅ  ｆｌｕｏｒｅｓｃｅｎｔ  ｌａｍｐ、ＣＣＦＬ）が使用される。しかし、本発明は必ずしもこれに限定されるものではない。したがって、光源ユニット７６として外部電極蛍光ランプ（ｅｘｔｅｒｎａｌ  ｅｌｅｃｔｒｏｄｅ  ｆｌｏｕｒｓｃｅｎｔ  ｌａｍｐ、ＥＥＦＬ）および熱陰極蛍光ランプ（ｈｏｔ  ｃａｔｈｏｄｅ  ｆｌｕｏｒｅｓｃｅｎｃｅ  ｌａｍｐ、ＨＣＦＬ）等も使用できる。また、光源ユニット７６としてランプ以外にＬＥＤ（Ｌｉｇｈｔ  Ｅｍｉｔｔｉｎｇ  Ｄｉｏｄｅ）等の発光素子も使用できる。
【００４４】
反射部材７９は導光板７４の出射面に対向する反対面に隣接して配置される。反射部材７９は導光板７４の入射面に入射されて出射面の反対面に向かう光を反射させる。反射部材７９によって反射された光は出射面を通じて出射される。したがって、反射部材７９は光の損失を減らし光の拡散を助けて導光板７４の出射面から出射される光の均一性を向上させる。
【００４５】
光源カバー７８は光源ユニット７６を囲む。光源カバー７８は内側面が反射物質を含んで形成されたり反射コーティング処理されたりする。つまり、光源カバー７８は光源ユニット７６を保護しながら、光源ユニット７６から照射された光が全て導光板７４の入射面に向かうように光を反射させる。
【００４６】
光学シート類７２は導光板７４の出射面から出射された光の輝度特性をさらに向上させる。つまり、光学シート類７２を通過する光はさらに均一に拡散され、明るさも強化される。光学シート類７２は拡散シート、プリズムシート、輝度強化シートおよび保護シートなど多様な機能のシートを含むことができる。
【００４７】
収納部材７５は導光板７４、光源ユニット７６、光源カバー７８、反射部材７９および光学シート類７２等を収納する。そして、第１支持部材７１は収納部材７５と結合して、収納部材７５に収納された導光板７４、光源ユニット７６、光源カバー７８、反射部材７９および光学シート類７２等を固定する。
【００４８】
図１では収納部材７５と第１支持部材７１を全て使用するものを示したが、これは単に本発明を例示するためのものに過ぎず、本発明はこれに限定されるものではない。したがって、第１支持部材７１は省略されることもできる。第１支持部材７１が省略された場合には収納部材７５が第１支持部材７１の役割も担う。
【００４９】
第２支持部材７３は収納部材７５の側面と背面の周縁に沿って結合される。第２支持部材７３は収納部材７５の強度を補強して、収納部材７５が任意に曲がったり捩れたりすることを防止する。つまり、第２支持部材７３は収納部材７５が変形されないように保護する。しかし、第２支持部材７３も、第１支持部材７１と同様に、省略されることができる。
【００５０】
また、駆動集積回路チップパッケージ４２は折り曲げられ、駆動印刷回路基板４４は収納部材７５の背面に配置される。そして、表示装置１００は、収納部材７５と結合して駆動印刷回路基板４４をカバーする基板カバー４８をさらに含む。
【００５１】
電磁波遮断部材９０は収納部材７５の背面と駆動印刷回路基板４４の間に配置される。また、電磁波遮断部材９０は基板カバー４８で駆動印刷回路基板４４と対向する面にも配置される。
【００５２】
図２に示したように、インバータ回路基板は７７収納部材７５の背面に設けられる。インバータ回路基板７７は外部電力を一定の電圧レベルに変圧した後、光源ユニット７６に印加することによって光源ユニット７６を駆動する。インバータ回路基板７７はワイヤー８５によって光源ユニット７６と電気的に接続される。
【００５３】
また、収納部材７５の背面には制御回路基板４５がさらに設けられる。制御回路基板４５は駆動印刷回路基板４４と電気的に接続され、表示パネル５０に画像を表示するために必要な信号を駆動印刷回路基板４４に供給する。しかし、これは単に本発明を例示するためのものに過ぎず、本発明は必ずしもこれに限定されるものではない。したがって、制御回路基板４５は省略でき、駆動印刷回路基板４４に制御回路が共に形成できる。
【００５４】
また、図２では基板カバー４８が駆動印刷回路基板４４のみをカバーするものを示したが、本発明はこれに限定されるものではない。したがって、インバータ回路基板７７および制御回路基板４５をそれぞれカバーする追加の基板カバー（図示せず）をさらに含むこともできる。
【００５５】
そして、電磁波遮断部材９０もインバータ回路基板７７と収納部材７５の背面の間および制御回路基板４５と収納部材７５の背面との間にそれぞれ追加的に配置できる。また、表示装置１００がインバータ回路基板７７および制御回路基板４５を覆う追加の基板カバー（図示せず）を含む場合に、電磁波遮断部材９０は追加の基板カバー（図示せず）でそれぞれインバータ回路基板７７および制御回路基板４５と対向する面にも追加的に配置される。
【００５６】
つまり、電磁波遮断部材９０は駆動印刷回路基板４４、インバータ回路基板７７および制御回路基板４５を含む印刷回路基板のように電磁波を発生させる部品を囲むように配置される。
【００５７】
図３は電磁波遮断部材９０の駆動印刷回路基板４４と対向する面を拡大して示した図面である。図３に示したように、電磁波遮断部材９０は複数の突起９１を含む。複数の突起９１は駆動印刷回路基板４４の方向に突出される。複数の突起９１は三角錐および四角錐などのような多角錐形状を含む。つまり、複数の突起９１は縦断面が三角形の形状を含む。
【００５８】
また、電磁波遮断部材９０は一つの突起９１が０．１μｍ〜１０００μｍ範囲内の平均幅を有する。複数の突起９１は０．１μｍ〜１０００μｍ範囲内の平均幅を有することによって、表示装置１００の品質の低下を防止しや、誤作動の原因になる高周波領域の電磁波の遮断をさせることができる。突起９１の大きさが０．１μｍより小さかったり１０００μｍより大きかったりすれば、電磁波遮断効果は低下してしまう。ここで、平均幅とは突起９１が有する底面で大小のいろいろな幅の平均値をいう。突起９１が有する底面の形状によって平均幅は平均直径を意味することもある。
【００５９】
電磁波遮断部材９０はアロエ（ａｌｏｅ）、木材、金属物質、合成樹脂のうちの一つ以上の素材を含んで形成される。
【００６０】
つまり、電磁波遮断部材９０は合成樹脂を使用して、一側面に複数の突起９１が形成されたフィルム形態に形成される。また、電磁波遮断部材９０はアロエ物質を固着または硬化させて形成することもできる。また、木材で形成されたプレートの一側面を加工して、複数の突起９１が形成された電磁波遮断部材９０を形成することもできる。
【００６１】
また、金属物質で形成された金属板の表面を多様な方法で加工して、複数の突起９１が形成された電磁波遮断部材９０を形成することもできる。
【００６２】
また、電磁波遮断部材９０は収納部材７５および基板カバー４８と一体に形成されることができる。つまり、収納部材７５で駆動印刷回路基板４４、インバータ回路基板７７および制御回路基板４５が設けられる面を加工して複数の突起９１を形成し、電磁波遮断部材９０のような役割を果たすようにすることができる。つまり、収納部材７５が直接電磁波遮断部材９０を兼ねることができる。そして音基板カバー４８で駆動印刷回路基板４４、インバータ回路基板７７および制御回路基板４５に対向する面を加工して複数の突起９１を形成し、電磁波遮断部材９０と同一の役割を果たすようにすることができる。つまり、基板カバー４８が直接電磁波遮断部材９０を兼ねることができる。
【００６３】
図４に示したように、電磁波遮断部材９０は駆動印刷回路基板４４、インバータ回路基板７７および制御回路基板４５のような電磁波発生部品で発生した電磁波を反射させて、電磁障害（ＥＬＥＣＴＲＯ−ＭＡＧＮＥＴＩＣ  ＩＮＴＥＲＦＥＲＥＮＣＥ、ＥＭＩ）が起こることを抑制する。つまり、ＥＭＩ発生による表示装置１００の品質の低下および誤作動を抑制することができる。
【００６４】
図４で、実線で表示された矢印は電磁波の一部が電磁波遮断部材９０を透過していく経路を示す。点線で表示された矢印は電磁波の一部が電磁波遮断部材９０に反射される経路を示す。このように、電磁波遮断部材９０は電磁波を反射させてＥＭＩの発生を抑制する。
【００６５】
図５は本発明の第２実施形態による電磁波遮断部材９０の突起９２の形状を示す。図５に示したように、電磁波遮断部材９０の突起９２は縦断面が凸多角形を含む。突起９２は同様に０．１μｍ〜１０００μｍ範囲内の平均幅を有する。このような形状の突起９２を有する電磁波遮断部材９０も駆動印刷回路基板４４、インバータ回路基板７７および制御回路基板４５のような電磁波発生部品で発生した電磁波を反射させて、ＥＭＩが起こることを抑制できる。
【００６６】
図６は本発明の第３実施形態による電磁波遮断部材９０の突起９３の形状を示す。図６に示したように、電磁波遮断部材９０の突起９３は縦断面が凹多角形を含む。突起９３は同様に０．１μｍ〜１０００μｍ範囲内の平均幅を有する。このような形状の突起９３を有する電磁波遮断部材９０も駆動印刷回路基板４４、インバータ回路基板７７および制御回路基板４５のような電磁波発生部品で発生した電磁波を反射させて、ＥＭＩが起こることを抑制できる。
【００６７】
図７は本発明の第４実施形態による電磁波遮断部材９０の突起９４の形状を示す。図７に示したように、電磁波遮断部材９０の突起９４は縦断面がアーチ（ａｒｃｈ）形状を含む。突起９４は同様に０．１μｍ〜１０００μｍ範囲内の平均幅を有する。このような形状の突起９４を有する電磁波遮断部材９０も駆動印刷回路基板４４、インバータ回路基板７７および制御回路基板４５のような電磁波発生部品で発生した電磁波を反射させて、ＥＭＩが起こることを抑制できる。
【００６８】
図８は本発明の第５実施形態による電磁波遮断部材９０の突起９７の形状を示す。図８に示したように、電磁波遮断部材９０の突起９７はプリズム（ｐｒｉｓｍ）形状、即ち、横になった三角柱形状を含む。ここで、プリズム形状の突起９７は０．１μｍ〜１０００μｍ範囲内の幅を有する。このような形状の突起９７を有する電磁波遮断部材９０も駆動印刷回路基板４４、インバータ回路基板７７および制御回路基板４５のような電磁波発生部品で発生した電磁波を反射させて、ＥＭＩが起こることを抑制できる。
【００６９】
また、プリズム形状の突起９７も必ずしも断面が三角形に限定されるものではなく、凸多角形、凹多角形およびアーチ形状の断面を有することもできる。
【００７０】
図９は本発明の第６実施形態による電磁波遮断部材９０の突起９８の形状を示す。図９に示したように、電磁波遮断部材９０の突起９８は半球形状を含む。突起９８は同様に０．１μｍ〜１０００μｍ範囲内の平均幅、即ち、直径を有する。このような形状の突起９８を有する電磁波遮断部材９０も駆動印刷回路基板４４、インバータ回路基板７７および制御回路基板４５のような電磁波発生部品で発生した電磁波を反射させて、ＥＭＩが起こることを抑制できる。
【００７１】
以下、実験例を通して本発明をより詳細に説明する。
【００７２】
このような実験例は単に本発明を例示するためのものに過ぎず、本発明はこれに限定されるものではない。
実験例
本発明の第１実施形態による電磁波遮断部材９０を用いた表示装置１００でＥＭＩの発生程度を測定した。図１０は実験例でＥＭＩに影響を与える周波数分布を測定して示すグラフである。
比較例
従来の表示装置、つまり、本発明による電磁波遮断部材９０を使用しない表示装置でＥＭＩの発生程度を測定した。図１１は比較例でＥＭＩに影響を与える周波数分布を測定して示すグラフである。
【００７３】
図１０および図１１のグラフを比較して見てみると、実験例で表示装置１００の品質を低下させたり誤作動を誘発させたりする特定高周波領域でＥＭＩに影響を与える周波数が緩和されていることが分かる。つまり、図１０のＲ領域と図１１のＨ領域を比較してみれば、Ｈ領域に比べてＲ領域の周波数が平均的に低いだけでなく、急ピッチを有して飛ぶ周波数も非常に減っていることが分かる。
【００７４】
前述の通り本発明を説明したが、特許請求の範囲の概念と範囲を逸脱しない限り、多様な修正および変形が可能であることは、本発明の属する技術分野に属する者であれは容易に理解できる。
【産業上の利用可能性】
【００７５】
本発明は電磁波を発生する表示装置に対して利用することができる。
【図面の簡単な説明】
【００７６】
【図１】本発明の第１実施形態による表示装置の分解斜視図である。
【図２】図１の表示装置を組み立てて示した背面斜視図である。
【図３】図１の表示装置に使用された電磁波遮断部材の突起を拡大図示した斜視図である。
【図４】図１の電磁波遮断部材によってＥＭＩが抑制される状態を示した図面である。
【図５】本発明の第２実施形態による電磁波遮断部材の突起形状を示す断面図である。
【図６】本発明の第３実施形態による電磁波遮断部材の突起形状を示す断面図である。
【図７】本発明の第４実施形態による電磁波遮断部材の突起形状を示す断面図である。
【図８】本発明の第５実施形態による電磁波遮断部材の突起を拡大図示した斜視図である。
【図９】本発明の第６実施形態による電磁波遮断部材の突起を拡大図示した斜視図である。
【図１０】本発明による実験例と比較例のＥＭＩ抑制程度を示すグラフである。
【図１１】本発明による実験例と比較例のＥＭＩ抑制程度を示すグラフである。
【符号の説明】
【００７７】
４１、４２    駆動集積回路チップパッケージ、
４４    駆動印刷回路基板、
４５    制御回路基板、
４８    カバー部材、
５０    表示パネル、
５１    第１表示板、
５３    第２表示板、
６０    固定部材、
７０    バックライトアセンブリー、
７１    第１支持部材、
７２    光学シート類、
７３    第２支持部材、
７４    導光板、
７５    収納部材、
７６    光源ユニット、
７７    インバータ回路基板、
７８    光源カバー、
７９    反射シート、
８５    ワイヤー、
９０    電磁波遮断部材、
９１    突起。
【図１】
2008146012.tif 000003
【図２】
2008146012.tif 000004
【図３】
2008146012.tif 000005
【図４】
2008146012.tif 000006
【図５】
2008146012.tif 000007
【図６】
2008146012.tif 000008
【図７】
2008146012.tif 000009
【図８】
2008146012.tif 000010
【図９】
2008146012.tif 000011
【図１０】
2008146012.tif 000012
【図１１】
2008146012.tif 000013